(57)【特許請求の範囲】
【請求項１】
合成樹脂製パレットと、該合成樹脂製パレットに取り付けられるＩＤタグ付きホルダーとから成るＩＤタグを有するホルダー付きパレットに於いて、合成樹脂製パレットの表面側デッキボードに形成された桟より下方に垂下した垂下壁と、裏面側デッキボードに形成された桟より上方に突出した突出壁にＩＤタグを有するホルダーが取り付けられていることを特徴とするＩＤタグホルダー付きパレット。
【請求項２】
ＩＤタグを有するホルダーの上端部に合成樹脂製パレットの表面側デッキボードに形成された桟より下方に垂下した垂下壁端と嵌合する上部突出爪を有し、更にホルダーの下端部に合成樹脂製パレットの裏面側デッキボードに形成された桟より上方に突出した突出壁端と嵌合する下部突出爪を有する請求項１記載のＩＤタグホルダー付きパレット。
【請求項３】
ＩＤタグを有するホルダーの上部突出爪が表面側デッキボードの桟より下方に垂下した垂下壁端を嵌合するように間隔をおいて少なくとも２個形成されており、且つＩＤタグを有するホルダーの下部突出爪が裏面側デッキボードの桟より上方に突出した突出壁端を嵌合するように間隔をおいて少なくとも２個形成されていることを特徴とする請求項２記載のＩＤタグホルダー付きパレット。
【請求項４】
ＩＤタグを有するホルダーの下端部には、下部突出爪に連結した取っ手を有する請求項１又は請求項３記載のＩＤタグホルダー付きパレット。
【発明の詳細な説明】
【０００１】
【発明の属する技術分野】
本発明は、物流倉庫等に於ける在庫管理システムに使用されるＩＤタグを取り付ける為のＩＤタグを有するホルダー付きパレットに関する。
【０００２】
【従来の技術】
パレットにＩＤタグを取り付ける方法として、特開平５−８５５４５号公報には、木製パレットの中央部桁に穴を形成し、該穴にＩＤタグを挿入し、次いで該穴に樹脂を注入し、樹脂を硬化固定することが記載されている。
【０００３】
しかしながら、この方法では、木製パレットの中央部桁に穴を形成する、該穴にＩＤタグを挿入する、次いで該穴に樹脂を注入する、樹脂を硬化固定する等の操作を順次に行わなければならず、パレットにＩＤタグを取り付ける為の操作が煩雑であった。
【０００４】
更に又、一度パレットにＩＤタグを取り付けると、取り外しが困難であった。
【０００５】
【発明が解決しようとする課題】
本発明者等は、ＩＤタグを簡単に取り付けることができ、更に又取り外しが可能なＩＤタグホルダー付パレットについて鋭意研究を進めた結果、本発明に到達した。
【０００６】
【課題を解決するための手段】
本発明は、合成樹脂製パレットと、該合成樹脂製パレットに取り付けられるＩＤタグ付きホルダーとから成るＩＤタグを有するホルダー付きパレットに於いて、合成樹脂製パレットの表面側デッキボードに形成された桟より下方に垂下した垂下壁と、裏面側デッキボードに形成された桟より上方に突出した突出壁にＩＤタグを有するホルダーが取り付けられていることを特徴とするＩＤタグホルダー付きパレットに関する。
【０００７】
又、本発明は、ＩＤタグを有するホルダーの上端部に合成樹脂製パレットの表面側デッキボードに形成された桟より下方に垂下した垂下壁端と嵌合する上部突出爪を有し、更に該ホルダーの下端部に合成樹脂製パレットの裏面側デッキボードに形成された桟より上方に突出した突出壁端と嵌合する下部突出爪を有するＩＤタグホルダーが取り付けられた前記パレットに関する。
【０００８】
又、本発明は、ＩＤタグを有するホルダーの上部突出爪が表面側デッキボードの桟より下方に垂下した垂下壁端を嵌合するように間隔をおいて少なくとも２個形成されており、且つＩＤタグを有するホルダーの下部突出爪が裏面側デッキボードの桟より上方に突出した突出壁端を嵌合するように間隔をおいて少なくとも２個形成されているＩＤタグホルダーが取り付けられた前記パレットに関する。
【０００９】
又、ＩＤタグを有するホルダーの下端部に形成された下部突出爪の片側からＬ字状に連続して形成された取っ手を有するＩＤタグホルダーが取り付けられた前記パレットに関する。
【００１０】
又、本発明は、ＩＤタグを有するホルダーが合成樹脂を射出成形することによって成形されている前記パレットに関する。
【００１１】
【発明の実施の形態】
以下、図面に従って本発明を説明する。
図１乃至図８に示すＩＤタグ用ホルダー付きパレットに於いて、合成樹脂製パレット１は、ポリエチレン、ポリプロピレン等の合成樹脂によって形成され、表面側デッキボード２、該表面側デッキボード２の下方隅部に形成された隅部筒状桁３及び表面側デッキボード１の下方中間部に形成された中間部筒状桁４を有し、隅部筒状桁３及び中間部筒状桁４の間にフォーク挿入孔５が形成されている。
【００１２】
表面側デッキボード２の中間部筒状桁４上に桟６が形成されている。又、桟６に対応して裏面側に桟７が形成されている。
桟６は平面部８と該平面部８から下方に垂下した垂下壁９とを有し、桟７は平面部１０と該平面部１０から上方に突出した突出壁１１とを有している。
【００１３】
図１乃至図８に示すＩＤタグ用ホルダー付きパレットに於いて、ＩＤタグ用ホルダー１６は、ポリエチレン、ポリピロピレン等の合成樹脂によって形成され、ＩＤタグ用ホルダー１６の上部には、パレットの垂下壁９を挟み込むように形成された上部突出爪１８、１９、２０を有している。又、ＩＤタグ用ホルダー１６の下部には、パレットの突出壁１１を挟み込むように形成された下部突出爪２１、２２、２３を有している。更に、下部突出爪２１、２２，２３の内、片側の２１と２３は、該突出爪からＬ字状に連続して形成された取っ手２４によって連結されている。かかる上部突出爪及び下部突出爪としては、図に示すものが好ましいが、間隔を開けて平行した２個の爪や並列した円柱状の爪などであってもよい。
【００１４】
ＩＤタグ用ホルダー１６のＩＤタグ保持部１７には、丸棒状凹部２５が形成され、該丸棒状凹部２５の裏面側端部に沿って内側に突き出した突出部２６、２７及び２８、２９が形成され、丸棒状凹部２５には、突出部２６、２７に対応する切り欠き３０、及び突出部２８、２９に対応する切り欠き３１が形成されている。ＩＤタグ用ホルダー１６は、突出部２６、２７に対応して切り欠き部３０、突出部２８、２９に対応して切り欠き部３１が形成されていることにより、アンダーカット部が存在せず、射出成形によって成形することができる。
【００１５】
ＩＤタグ用ホルダー１６に丸棒状タグ３２を取り付けるには、丸棒状凹部２５の底部３３と突出部２６、２７、２８、２９との間に丸棒状タグ３２を嵌め込めばよい。
【００１６】
ＩＤタグ用ホルダー１６に、丸棒状ＩＤタグ３２を取り付けた後、ＩＤタグ用ホルダー１６を合成樹脂製パレット１に取り付けるには、図７から図８に示すようにＩＤタグ用ホルダー１６の上部突出爪の１８、２０と１９の間に、パレットの垂下壁９を嵌合させた後、ＩＤタグ用ホルダー１６の取っ手２４を手で押し上げ、下部突出爪２２がパレットの突出壁１１を乗り越えさせる様にして、下部突出爪２１、２３と２２の間にパレットの突出壁１１を嵌合させればよい。
又、取り付け時と逆にＩＤタグ用ホルダー１６の取っ手２４を手で押し上げて、下部突出爪２２をパレットの突出壁１１からはずすと、ＩＤタグ用ホルダー１６をパレットから取り外すことができる。
【００１７】
本発明のＩＤタグ用ホルダーは、垂下壁と突出壁があれば、パレットの種類と取り付け位置を問わず取り付けが可能である。しかし、取り付け位置については、２方差し型及び４方差し型のいずれの場合も中間部筒状桁の辺縁部に少なくとも１個、出来れば各辺に１個設置されるようにするのが好ましい。ただ、２方差し型パレットの場合には、フォーク挿入孔の無い辺縁部ではその中間部に設置されるのが好ましい。
【００１８】
図１乃至図８に示すＩＤタグ用ホルダー付きパレットに於いて、ＩＤタグ用ホルダー１６のＩＤタグ保持部１７には、丸棒状凹部２５が形成されていたが、丸棒状凹部を角形或いは円柱状等にすれば、該形状のＩＤタグをホルダーに取り付けた後パレットに取り付けることが可能である。
【００１９】
本発明に係わるＩＤタグ用ホルダー付きパレットは、ＩＤタグ用ホルダーに取り付けたＩＤタグ、をフォークリフト車に設けたアンテナで読みとることにより、物流倉庫等に於ける在庫管理システムに好適に使用することができる。
【００２０】
【発明の効果】
本発明に係わるＩＤタグを有するホルダー付きパレットは、ＩＤタグ用ホルダーにＩＤタグを取り付けた後に、該ホルダーを合成樹脂製パレットのデッキボードから連なった垂下壁と突出壁の間に簡単に取り付けることができる。また、ＩＤタグ用ホルダーをパッレトから容易に取り外すことができる。
【図面の簡単な説明】
【図１】本発明に係わるＩＤタグ用ホルダー付きパレットに於ける合成樹脂製パレットの一例を示す上面図である。
【図２】本発明に係わるＩＤタグ用ホルダー付きパレットに於ける合成樹脂製パレットの一例を示す下面図である。
【図３】本発明に係わるＩＤタグ用ホルダー付きパレットに於ける合成樹脂製パレットの一例を示す側面図である。
【図４】図１に於ける線Ａ−Ａに沿った断面図である。
【図５】本発明に係わるＩＤタグ用ホルダーの一例を示す斜視図である。
【図６】図１に示した合成樹脂製パレットにＩＤタグ用ホルダーを取り付けた状態の部分拡大一部破断斜視図である。
【図７】本発明に係わるＩＤタグ用ホルダー付き合成樹脂製パレットに於いて合成樹脂製パレットにＩＤタグ用ホルダーを取り付けている状態を示す部分拡大一部破断斜視図である。
【図８】本発明に係わるＩＤタグ用ホルダー付き合成樹脂製パレットに於いて合成樹脂製パレットにＩＤタグ用ホルダーを取り付けている状態を示す部分断面図である。
【符号の簡単な説明】
１  合成樹脂製パレット
２  表面側デッキボード
６  表面側桟
７  裏面側桟
８  １０  平面部
９  垂下壁
１１  突出壁
１６  ＩＤタグ用ホルダー
１７  ＩＤタグ保持部
１８、１９、２０  上部突出爪
２１、２２，２３  下部突出爪
２４  取っ手
２５  丸棒状凹部
２６、２７、２８、２９  突出部
３０，３１  切り欠き部
【図１】
0003829958.tif 000002
【図２】
0003829958.tif 000003
【図３】
0003829958.tif 000004
【図４】
0003829958.tif 000005
【図５】
0003829958.tif 000006
【図６】
0003829958.tif 000007
【図７】
0003829958.tif 000008
【図８】
0003829958.tif 000009